(57)【要約】【課題】日付印の構造を大きく変更することもなく錠構造と印字ユニット用の高さ調整構造を配置でき、従って全体コストが嵩むのを抑制でき、さらに、外観の印象や使い勝手が損なわれることのない錠付の日付印を提供する。【解決手段】印字ユニット２を収容する主ケース７と、主ケース７の外面を覆うカバー筒８とで本体ケース１を構成する。カバー筒８は主ケース７に支持されて、閉じ姿勢と開放姿勢とに姿勢変更でき、開放姿勢においては主ケース７の外に露出する調整ダイヤル２２を操作して、印字ユニット２の日付を変更できる。カバー筒８の端壁に錠ユニット３２を配置して、カバー筒８が開放姿勢に操作されるのを錠構造で規制する。印字ユニット２用の高さ調整構造の調整体５４を、錠ユニット３２の周囲に配置する。調整体５４の一部はカバー筒８の外面に露出させる。【選択図】図１
2014100900.tif 000002
【特許請求の範囲】
【請求項１】
複数本の印字ベルト（２４）と調整ダイヤル（２２）を含む印字ユニット（２）が本体ケース（１）に収容されており、
本体ケース（１）は、印字ユニット（２）を収容する主ケース（７）と、主ケース（７）の外面を覆うカバー筒（８）とで構成されており、
カバー筒（８）は、主ケース（７）の外面を覆う閉じ姿勢と、主ケース（７）の外面を開放する開放姿勢とに姿勢変更可能に主ケース（７）で支持されており、
カバー筒（８）を開放姿勢にして調整ダイヤル（２２）を露出させた状態において、調整ダイヤル（２２）を操作して印字ユニット（２）の日付を変更できる日付印であって、
カバー筒（８）が開放姿勢に操作されるのを規制する錠構造の錠ユニット（３２）が、カバー筒（８）の端壁に配置され、印字ユニット（２）の印面高さを調整する高さ調整構造の調整体（５４）が錠ユニット（３２）の周囲に配置されて、調整体（５４）の一部がカバー筒（８）の外面に露出させてあることを特徴とする錠付の日付印。
【請求項２】
錠構造が、カバー筒（８）の端壁に固定される錠ユニット（３２）と、錠ユニット（３２）の操作軸（３３）に固定されるロック体（３４）と、主ケース（７）の内面に設けられる係合体（３５）とを含み、
錠ユニット（３２）はシリンダー錠で構成されており、
錠ユニット（３２）を鍵（３６）で施錠した状態において、ロック体（３４）が係合体（３５）と係合してカバー筒（８）が開放姿勢に切換え操作されるのを規制している請求項１に記載の錠付の日付印。
【請求項３】
高さ調整構造が円形の調整リング（５４）を備えていて、調整リング（５４）の内面に雌ねじ（５８）が形成されており、
調整リング（５４）の雌ねじ（５８）を錠ユニット（３２）の錠ケース（３７）の軸部（４０）に設けた雄ねじ（４１）にねじ込んで、調整リング（５４）が軸部（４０）で調整移動可能に支持してある請求項１または２に記載の錠付の日付印。
【請求項４】
カバー筒（８）の端壁に錠ユニット（３２）を固定するための締結ボス（１６）が膨出形成されており、
締結ボス（１６）の周壁に操作窓（５９）が開口されて、調整リング（５４）の一部が操作窓（５９）を介して締結ボス（１６）の外面に露出させてあり、
締結ボス（１６）に対して着脱可能に装着した上キャップ（１７）で、錠ユニット（３２）の上面と操作窓（５９）の周囲とが覆ってある請求項１から３のいずれかひとつに記載の錠付の日付印。
【請求項５】
ロック体（３４）が、円板状に形成される本体部（４８）と、本体部（４８）の周囲複数個所に張出し形成される係合爪（４９）とを備えており、
主ケース（７）の内周面の複数個所に、係合爪（４９）を受止める係合体（３５）が設けてある請求項２から４のいずれかひとつに記載の錠付の日付印。
【請求項６】
高さ調整構造が、ロック体（３４）の上方に配置した調整リング（５４）と、ロック体（３４）と印字ユニット（２）のフレーム（２０）との間に配置されて、調整リング（５４）の調整動作をフレーム（２０）に伝える中継枠（５５）とで構成されており、
中継枠（５５）の上面には、調整リング（５４）に接当する複数の受動片（６３）が上向きに突設されており、
ロック体（３４）の本体部（４８）に前記受動片（６３）に対応する部分円弧状の逃げ溝（５０）が形成されており、
中継枠（５５）の受動片（６３）が逃げ溝（５０）を介して本体部（４８）の上方へ突出して、調整リング（５４）と接当している請求項３から５のいずれかひとつに記載の錠付の日付印。
【請求項７】
印字ユニット（２）が主ケース（７）で、下方の印字位置と上方の日付変更位置との間を上下変位可能に支持されて、印字ユニット（２）と主ケース（７）との間に配置したばね（２５）で日付変更位置へ向かって押上げ付勢されており、
主ケース（７）の筒壁の中途部に、日付変更位置へ変位した調整ダイヤル（２２）を露出させるための調整窓（９）が開口されており、
中継枠（５５）に一対の規制脚（６５）が一体に設けられており、
錠ユニット（３２）が解錠されて印字ユニット（２）が日付変更位置へ変位した状態において、前記規制脚（６５）を調整窓（９）の上開口縁で受止めて、印字ユニット（２）が日付変更位置を越えて主ケース（７）から抜け出るのを規制している請求項６に記載の錠付の日付印。
【請求項８】
シリンダー錠で構成した錠ユニット（３２）が、その錠ケース（３７）の雄ねじ（４１）にねじ込んだ第１ナット（４４）で締結ボス（１６）の端壁に締結されており、
ロック体（３４）が、錠ユニット（３２）の内筒と一体に設けた操作軸（３３）に相対回転不能に係合され、操作軸（３３）にねじ込んだ第２ナット（４５）で固定してある請求項４から７のいずれかひとつに記載の錠付の日付印。
【請求項９】
主ケース（７）の下端に、印面ホルダー（２６）とその下面に固定したゴム印字体（２７）とを備える固定印字体（３）が着脱可能に装着されており、
固定印字体（３）に印字ベルト（２４）を出入れする日付窓（２８）と、差換印（７０）が着脱される差換窓（２９）とが開口されており、
差換印（７０）は、氏名印字体（７１）と、氏名印字体（７１）を差換窓（２９）に装着するためのホルダー（７２）とを備えており、
ホルダー（７２）が、差換窓（２９）に対して固定印字体（３）の上面側から着脱可能に装着してある請求項１から８のいずれかひとつに記載の錠付の日付印。
【発明の詳細な説明】
【技術分野】
【０００１】
本発明は、領収印や受付印などに代表される日付印に関し、なかでも日付の変更を防ぐための錠を備えている日付印に関する。
【背景技術】
【０００２】
本発明が適用対象とする日付印は、印字ユニットが収容される主ケースと、主ケースの外面を覆うカバー筒とで本体ケースを構成しており、主ケースの外面をカバー筒で覆った状態にして使用する。日付を変更する際には、カバー筒を主ケースの上方の開放位置へスライド変位させ、印字ベルトが巻掛けられた調整ダイヤルを露出させて、印字ベルトを回転操作する。本出願人は、日付が不正に変更されるのを防ぐために、カバー筒が開放位置へスライド変位されるのを防ぐ錠付きの日付印を先に提案している（特許文献１）。そこでは、カバー筒に装着されるシリンダー錠と、シリンダー錠の操作軸に固定される錠止体と、主ケースの上端に固定されるロックピースなどで錠構造を構成している。
【０００３】
特許文献１の日付印によれば、シリンダー錠を解錠して、錠止体とロックピースとの係合状態を解除した状態においてのみ、カバー筒を開放位置へスライド変位できる。従って、シリンダー錠の鍵を管理責任者が保管しておくことにより、調整ダイヤルが不正に操作されて日付が意図的に変更されるのを防止でき、日付印のセキュリティ性を向上できる。また、管理責任者はシリンダー錠用の鍵のみを管理すればよいので、差換え駒を差換えて日付を変更する差換印に比べて管理の手間を大幅に簡略化できるうえ、日付の変更も簡便に行える。差換え駒が紛失することもない。
【先行技術文献】
【特許文献】
【０００４】
【特許文献１】特開２０１１−２５４４０号公報（段落番号００５０、図１２）
【発明の概要】
【発明が解決しようとする課題】
【０００５】
本発明者は特許文献１で開示された錠構造を実現するために、錠構造の具体的な構造の検討を行ったが、その過程で、シリンダー錠をカバー筒に組込むのは極めて困難であることを確認した。これは、印字ユニットの印面高さを調整する調整ねじがカバー筒の上端壁の中央にねじ込んであり、シリンダー錠を配置するスペースを確保できないからである。さらに、印字ユニットの印字面と固定印字体の印字面の高さを調整する必要上、調整ねじを省略することは許されない。日付印の構造を大きく変更してシリンダー錠を配置するスペースを確保することは不可能ではないが、そうすると、日付印の全体コストが大幅に嵩んでしまう。
【０００６】
特許文献１で開示された錠構造は、調整ねじとカバー筒との間に生じるリング状の空間を利用してシリンダー錠を横向きに配置しており、その考え方に誤りはなくアイデアとしては成立する。しかし、リング状の空間を利用して配置できるほど小さなシリンダー錠が市販されていないため、現実には錠構造を構成することができない。リング状の空間を利用して錠構造を配置するには、特殊な構造の専用の錠を用意し、あるいは、全体が小形化された専用のシリンダー錠を用意するしかないが、そうすると錠のコストが嵩み、日付印の全体コストがさらに高くなるのを避けられない。
【０００７】
例えば、カバー筒の周囲にシリンダー錠を収容するための錠区画を一体に設けると、シリンダー錠を専用の錠区画に容易に収容できる。しかし、錠区画がカバー筒の周囲に出っ張るので、カバー筒の外観の印象が損なわれるのはもちろん、カバー筒を片手で掴んだ状態において錠区画が邪魔になるのを避けられない。
【０００８】
本発明者は、上記のような状況を背景に、印面高さを調整する調整ねじと錠の配置および関係構造を繰返し検討した結果、調整ねじと錠の配置を逆転させることを思いつき、本発明を提案するに至ったものである。
本発明の目的は、カバー筒が開放位置へスライド変位操作されて日付が不正に変更されるのを確実に防止して高度のセキュリティ性を発揮できる、錠付の日付印を提供することにある。
本発明の目的は、現状の日付印の構造を大きく変更することもなく、錠構造と印面高さを調整する高さ調整構造を配置でき、従って全体コストが嵩むのを抑制でき、さらに、外観の印象や使い勝手が損なわれるのを防止できる、錠付の日付印を提供することにある。
【課題を解決するための手段】
【０００９】
本発明に係る錠付の日付印は、複数本の印字ベルト２４と調整ダイヤル２２を含む印字ユニット２が本体ケース１に収容してある。本体ケース１は、印字ユニット２を収容する主ケース７と、主ケース７の外面を覆うカバー筒８とで構成する。カバー筒８は、主ケース７の外面を覆う閉じ姿勢と、主ケース７の外面を開放する開放姿勢とに姿勢変更可能に主ケース７で支持されている。カバー筒８を開放姿勢にして調整ダイヤル２２を露出させた状態においては、調整ダイヤル２２を操作して印字ユニット２の日付を変更できる。カバー筒８が開放姿勢に操作されるのを規制する錠構造の錠ユニット３２を、カバー筒８の端壁に配置する。さらに、印字ユニット２の印面高さを調整する高さ調整構造の調整体５４を錠ユニット３２の周囲に配置して、調整体５４の一部をカバー筒８の外面に露出させることを特徴とする。
【００１０】
錠構造は、カバー筒８の端壁に固定される錠ユニット３２と、錠ユニット３２の操作軸３３に固定されるロック体３４と、主ケース７の内面に設けられる係合体３５とを含む。錠ユニット３２はシリンダー錠で構成してある。錠ユニット３２を鍵３６で施錠した状態において、ロック体３４が係合体３５と係合してカバー筒８が開放姿勢に切換え操作されるのを規制している。
【００１１】
高さ調整構造は円形の調整リング５４を備えており、調整リング５４の内面に雌ねじ５８が形成してある。調整リング５４の雌ねじ５８を錠ユニット３２の軸部４０の周面に設けた雄ねじ４１にねじ込んで、調整リング５４を軸部４０で調整移動可能に支持する。
【００１２】
カバー筒８の端壁に錠ユニット３２を固定するための締結ボス１６を膨出形成する。締結ボス１６の周壁に操作窓５９を開口し、調整リング５４の一部を操作窓５９を介して締結ボス１６の外面に露出させる。締結ボス１６に対して着脱可能に装着した上キャップ１７で、錠ユニット３２の上面と操作窓５９の周囲とを覆う。
【００１３】
ロック体３４は、円板状に形成される本体部４８と、本体部４８の周囲複数個所に張出し形成される係合爪４９とを備えている。主ケース７の内周面の複数個所に、係合爪４９を受止める係合体３５を設ける。
【００１４】
高さ調整構造は、ロック体３４の上方に配置した調整リング５４と、ロック体３４と印字ユニット２のフレーム２０との間に配置されて、調整リング５４の調整動作をフレーム２０に伝える中継枠５５とで構成する。中継枠５５の上面には、調整リング５４に接当する複数の受動片６３が上向きに突設してある。ロック体３４の本体部４８に受動片６３に対応する部分円弧状の逃げ溝５０を形成する。中継枠５５の受動片６３は、逃げ溝５０を介して本体部４８の上方へ突出して、調整リング５４と接当する。
【００１５】
印字ユニット２は主ケース７で、下方の印字位置と上方の日付変更位置との間を上下変位可能に支持されて、印字ユニット２と主ケース７との間に配置したばね２５で日付変更位置へ向かって押上げ付勢してある。主ケース７の筒壁の中途部に、日付変更位置へ変位した調整ダイヤル２２を露出させるための調整窓９を開口する。中継枠５５に一対の規制脚６５を一体に設ける。錠ユニット３２が解錠されて印字ユニット２が日付変更位置へ変位した状態において、規制脚６５を調整窓９の上開口縁で受止めて、印字ユニット２が日付変更位置を越えて主ケース７から抜け出るのを規制する。
【００１６】
シリンダー錠で構成した錠ユニット３２は、その錠ケース３７の雄ねじ４１にねじ込んだ第１ナット４４で締結ボス１６の端壁に締結する。ロック体３４は、錠ユニット３２の内筒と一体に設けた操作軸３３に相対回転不能に係合され、操作軸３３にねじ込んだ第２ナット４５で固定する。
【００１７】
主ケース７の下端に、印面ホルダー２６とその下面に固定したゴム印字体２７とを備える固定印字体３を着脱可能に装着する。固定印字体３に印字ベルト２４を出入れする日付窓２８と、差換印７０が着脱される差換窓２９とを開口する。差換印７０は、氏名印字体７１と、氏名印字体７１を差換窓２９に装着するためのホルダー７２とを備えている。ホルダー７２は、差換窓２９に対して固定印字体３の上面側から着脱可能に装着してある。
【発明の効果】
【００１８】
本発明においては、印字ユニット２と、同ユニット２を収容する主ケース７と、主ケース７の外面を覆うカバー筒８などを備えている日付印において、カバー筒８が開放姿勢に操作されるのを規制する錠構造の錠ユニット３２をカバー筒８の端壁に配置した。また、印字ユニット２用の高さ調整構造の調整体５４を錠ユニット３２の周囲に配置して、調整体５４の一部をカバー筒８の外面に露出させるようにした。このように、錠ユニット３２をカバー筒８の端壁に配置し、その周囲に調整体５４を配置すると、現状の日付印の構造を大きく変更する必要もなく、本体ケース１の上部構造を変更するだけで、錠構造と印面高さを調整する高さ調整構造を本体ケース１に無理なく配置できる。
【００１９】
従って、本発明の日付印によれば、全体コストが嵩むのを抑制しながら、カバー筒８が開放位置へスライド変位操作されて日付が不正に変更されるのを確実に防止でき、高度のセキュリティ機能を発揮できる錠付の日付印を提供できる。さらに、錠構造と高さ調整構造を本体ケース１の内部に収容するので、外観の印象や使い勝手が損なわれるのを防止できる錠付の日付印を提供することができる。また、調整体５４の一部をカバー筒８の外面に露出させるので、印字ユニット２の高さ調整を従来の日付印と同様に簡便に行なうことができる。
【００２０】
カバー筒８の側に設けられる錠ユニット３２、およびロック体３４と、主ケース７の内面に設けられる係合体３５などで錠構造を構成すると、錠ユニット３２を施錠ないし解錠操作するだけの簡単な操作で、ロック体３４と係合体３５を係脱することができる。従って、印字ベルト２４を操作して日付を変更する場合には、錠ユニット３２を解錠したのち、カバー筒８を開放姿勢に移動操作して、調整ダイヤル２２を調整窓９から露出させるだけでよく、日付の変更や調整を迅速にしかも簡単に行なえる。また、シリンダー錠で錠ユニット３２を構成することにより、シリンダー錠の分だけ全体の重量が大きくなるので、日付印を片手で持ったときの印象を重厚感に富むものとして、従来の日付印に比べて高度のセキュリティ機能を備えている日付印であることを使用者に訴求することができる。さらに、市販されているシリンダー錠で錠ユニット３２を構成することにより、錠構造の全体コストが嵩むのを抑止できる。
【００２１】
高さ調整用の調整リング５４を錠ユニット３２の軸部４０にねじ込んで、調整リング５４を軸部４０で調整移動可能に支持すると、調整リング５４を調整移動可能に支持するための構造を別途設ける必要がない。従って、錠ユニット３２の軸部４０と雄ねじ４１を利用する分だけ、高さ調整構造を簡素化してコストを削減できる。また、金属加工されて精密に形成された軸部４０の雄ねじ４１に調整リング５４をねじ込むので、軸部４０にねじ込んだ調整リング５４が上下にがたつくのを防止して、印字ユニット２の印面高さの調整を的確に行なうことができる。とくに、雄ねじ４１が細目ねじで形成してある場合には、調整リング５４を回転操作して印字ユニット２を移動させるときの、１回転あたりの上下調整量を小さくできるので、印面高さの調整をさらに精密に行なえる。
【００２２】
カバー筒８の端壁に締結ボス１６を設け、その端壁に錠ユニット３２を装着し、周壁に開口した操作窓５９から調整リング５４の一部を露出させると、指先で調整リング５４を直接回転操作することで、高さ調整を手軽に行なうことができる。また、締結ボス１６に着脱される上キャップ１７で、錠ユニット３２の上面と操作窓５９の周囲とを覆うので、日付印の捺印時に誤って調整リング５４が操作されるのを確実に防止でき、さらに、日付印の外観の印象が煩雑になるのを解消できる。
【００２３】
本体部４８と、本体部４８の周囲複数個所に形成される係合爪４９とでロック体３４を構成し、さらに、主ケース７の内周面の複数個所に係合体３５を設けると、複数対の係合爪４９と係合体３５で、カバー筒８を安定した姿勢で移動不能に保持できる。例えば、一対の係合爪４９および係合体３５のみでカバー筒８を移動不能に保持する場合には、カバー筒８の中心軸線が主ケース７の中心軸線に対して傾動するおそれがあるが、こうしたカバー筒８の傾動を一掃して、印字ユニット２の高さ調整を的確に行なえる。
【００２４】
調整リング５４と中継枠５５とで高さ調整構造を構成し、両者５４・５５の間にロック体３４が配置してあると、錠ユニット３２を施錠・開錠するとき、回動するロック体３４と、回動しない中継枠５５との間で動作干渉を生じるおそれがある。こうした、動作干渉を避けるために、中継枠５５の上面に複数の受動片６３を突設し、ロック体３４の本体部４８に部分円弧状の逃げ溝５０を形成している。こうした日付印によれば、錠ユニット３２、調整リング５４、ロック体３４、中継枠５５を、本体ケース１の上部に集約配置しながら、ロック体３４と中継枠５５との動作干渉を巧みに避けることができるので、錠付の日付印がいたずらに大形化するのを避けてコンパクト化できる。
【００２５】
中継枠５５に一対の規制脚６５を設け、印字ユニット２が日付変更位置へ変位した状態において、規制脚６５を調整窓９の上開口縁で受止めるようにすると、印字ユニット２が日付変更位置を越えて主ケース７から抜け出るのを確実に規制できる。また、中継枠５５を利用して規制脚６５を一体に設けることにより部品点数を削減でき、さらに、規制脚６５をフレーム２０に組付けるための構造を省略できるので、その分だけ錠付の日付印の全体コストを削減できる。
【００２６】
シリンダー錠からなる錠ユニット３２を第１ナット４４で締結ボス１６に締結し、ロック体３４を第２ナット４５で操作軸３３に固定すると、シリンダー錠の付属部品である第１、第２の両ナット４４・４５で、錠ユニット３２およびロック体３４を固定できる。従って、シリンダー錠の付属部品である第１、第２の両ナット４４・４５を無駄なく利用して、錠構造の構成部品がいたずらに増えるのを防止できる。
【００２７】
氏名印字体７１とホルダー７２とからなる差換印７０を、固定印字体３の差換窓２９に対して上面側から着脱可能に装着すると、固定印字体３を主ケース７から取外すことにより、差換印７０の固定印字体３に対する着脱操作を容易にしかも的確に行える。固定印字体３を主ケース７から取外した状態では、固定印字体３の上面の全体が開放され、差換窓２９や、その周辺部の構造を明確に視認した状態で、差換印７０のを着脱できるからである。また、日付窓２８に臨む印字ベルト２４に邪魔されることもなく、差換印７０を単独で着脱操作できるからである。
【図面の簡単な説明】
【００２８】
【図１】錠付の日付印を示す本体ケース上部の断面図である。
【図２】使用状態における日付印の縦断側面図である。
【図３】使用状態における日付印の縦断正面図である。
【図４】カバー筒を開放した状態の日付印の正面図である。
【図５】錠付の日付印の分解斜視図である。
【図６】錠構造が施錠された状態を示す図１におけるＡ−Ａ線断面図である。
【図７】錠構造が解錠された状態を示す図６と同等位置の断面図である。
【図８】錠構造が施錠された状態を示す本体ケース上部の縦断側面図である。
【図９】錠構造が解錠された状態を示す本体ケース上部の縦断側面図である。
【図１０】固定印字体および印面キャップを示す一部破断正面図である。
【図１１】図１０におけるＢ−Ｂ線断面図である。
【図１２】差換印および固定印字体の分解斜視図である。
【図１３】固定印字体に装着した差換印の平面図である。
【図１４】図１３におけるＣ−Ｃ線断面図である。
【図１５】調整溝の構造を示す調整筒の展開図である。
【図１６】日付印を起立保持するスタンドの縦断面図である。
【発明を実施するための形態】
【００２９】
（実施例）  図１ないし図１６は本発明に係る錠付の日付印の実施例を示す。図２および図３において錠付の日付印は、本体ケース１と、本体ケース１の内部に収容される印字ユニット２と、本体ケース１の下端面に配置される固定印字体３と、固定印字体３の印字面を覆う印面キャップ４などで構成する。図１０に示すように印面キャップ４は、内底にインク含浸マット５が収容してあるキャップ本体４ａと、インク含浸マット５用のインク補充口６を覆うキャップ蓋４ｂとで構成する。
【００３０】
本体ケース１は、印字ユニット２を収容する主ケース７と、主ケース７の外面を覆うカバー筒８とで構成する。主ケース７は有底筒状のプラスチック成形品からなり、その筒壁の上下中途部に、印字ユニット２の調整ダイヤル２２を露出させるための一対の調整窓９が開口され、両調整窓９の間の筒壁外面に、カバー筒８を開閉案内する平坦なガイド部１０と断面Ｔ字状のガイドリブ１１が一体に形成してある（図６参照）。主ケース７の底壁には、印字ベルト２４を固定印字体３から出し入れするための出退口１２が開口してある。
【００３１】
図５に示すようにカバー筒８は、下向きに開口する有底筒状のプラスチック成形品からなり、その筒壁の左右に先のガイドリブ１１で案内されるスライド溝１４が筒下端から上向きに形成され、スライド溝１４の下端両側にロック爪１５が形成してある。カバー筒８の上端壁には締結ボス１６が膨出形成されており、この締結ボス１６に上キャップ１７が着脱可能に装着してある。
【００３２】
カバー筒８を主ケース７に外嵌して、そのスライド溝１４をガイドリブ１１でスライド案内することにより、カバー筒８は、主ケース７の外面を覆う閉じ姿勢と、主ケース７の調整窓９の外面を開放する開放姿勢とに姿勢変更できる。カバー筒８が閉じ姿勢になっている状態を図２および図３に示し、カバー筒８が開放姿勢になっている状態を図４に示している。カバー筒８を開放姿勢にした状態においては、印字ユニット２の調整ダイヤル２２を調整窓９から露出させることができ、この状態で印字ベルト２４を回転操作することにより印字ユニット２の日付を変更できる。
【００３３】
図２において印字ユニット２は、門形のフレーム２０と、その対向壁で支持したダイヤル軸２１と、ダイヤル軸２１で支持した６個の調整ダイヤル２２と、フレーム２０の下端に装着されるブリッジ２３と、調整ダイヤル２２およびブリッジ２３に巻き掛けられる５個の無端状の印字ベルト２４などで構成する。印字ベルト２４には、それぞれ２桁の年号数字と、月数字と、日数字を印字する字母ブロックが一定間隔おきに設けてあり、月数字を印字する印字ベルト２４のみが１個の印字ベルトで構成してある。
【００３４】
印字ユニット２は、主ケース７に収容されて、下方の印字位置と上方の日付変更位置との間を上下動でき、主ケース７とフレーム２０との間に配置した圧縮コイル形のばね２５で日付変更位置へ向かって押し上げ付勢してある。日付変更位置においては、印字ユニット２の全体がばね２５で押し上げられて、調整ダイヤル２２が調整窓９に臨んでいる。印字ユニット２が日付変更位置に変位した状態においては、後述する規制脚６５が調整窓９の上開口縁で受止められて、印字ユニット２が日付変更位置を越えて主ケース７から抜け出るのを規制している（図９参照）。
【００３５】
固定印字体３は、印面ホルダー２６と、印面ホルダー２６に接着固定したゴム印字体２７とで構成してあり、図２に示すように、その前後中央に印字ベルト２４の字母ブロックを出し入れするための日付窓２８が開口してある。また、日付窓２８の後側に隣接して、差換印７０を着脱するための差換窓２９が開口してある。印面ホルダー２６の周縁の左右には、上向きに突出する取付爪３０が一体に設けてあり、この取付爪３０を主ケース７の取付穴３１に下方から差込み係合することにより、固定印字体３を主ケース７と一体化することができる（図１１および図１２参照）。この状態でカバー筒８を主ケース７に組付けることにより、取付爪３０の外面がカバー筒８で覆われる。その意味は後述する。ゴム印字体２７の印面のうち、日付窓２８より前側の領域には、領収、受付、出納などの文字を印字する印字面が形成してある。また、日付窓２８より後側の領域には、会社名や部署名などの文字を印字する印字面が形成され、さらに、差換窓２９に装着した差換印７０で捺印者名や社員番号などを印字できる。
【００３６】
カバー筒８が不正に開放操作されて日付が意図的に変更されるのを防止するために、カバー筒８と主ケース７との間に錠構造を設けて、印字ユニット２の日付が無断で変更されるのを防止している。また、カバー筒８とフレーム２０との間に高さ調整構造を設けて、印字ユニット２の印面高さを調整できるようにしている。
【００３７】
図１において錠構造は、締結ボス１６の端壁に固定される錠ユニット３２と、錠ユニット３２の操作軸３３に固定されるロック体３４と、主ケース７の内面に設けられる係合溝（係合体）３５とで構成する。符号３６は、錠ユニット３２を施錠ないし解錠操作する鍵である。錠ユニット３２は、ディスクタンブラー型、ピンタンブラー型、マグネットタンブラー型などの市販のシリンダー錠からなり、錠ケース３７の内部に外筒、内筒、およびタンブラーなどを組込んで構成してある。
【００３８】
錠ケース３７は、締結ボス１６の中央に設けた錠受座３８で受止められるフランジ３７ａと、錠受座３８に形成した取付穴３９に差込み係合される軸部４０とを一体に備えている。軸部４０は対向周面が平坦に形成された太鼓形断面に形成してあり、その円弧周面に雄ねじ４１が形成してある。そのため、図１および図３に示すように、平坦に形成された軸部周面においては、軸部４０と調整リング５４との間に小さな隙間が形成される。内筒の上端には鍵穴４２が開口してあり、内筒の下側には太鼓形断面の操作軸３３が一体に形成され、その周面に雄ねじ４３が形成してある。錠ケース３７の軸部４０を錠受座３８の取付穴３９に上方から差込み係合し、その周面の雄ねじ４１に大径の第１ナット４４をねじ込むことにより、錠ユニット３２が錠受座３８に固定される。この状態の鍵穴４２は、錠ケース３７の上端面に露出している。
【００３９】
図５に示すようにロック体３４は、円板状に形成される本体部４８と、本体部４８の周囲の対向２個所に張出し形成される係合爪４９とを一体に備えた金属製の部品からなり、本体部４８の板面の２個所に部分円弧状の逃げ溝５０が形成してある。また、本体部４８の中央には、操作軸３３に外嵌する連結穴５１が太鼓形に形成してある。連結穴５１を座金とともに操作軸３３に外嵌したのち、小径の第２ナット４５を雄ねじ４３にねじ込むことにより、ロック体３４が操作軸３３に固定される。従って、鍵３６を鍵穴４２に差込んで内筒を回転操作するとき、ロック体３４は操作軸３３に同行して回転する。
【００４０】
係合溝３５は主ケース７の上筒壁の内面の対向２個所に凹み形成してあり、錠ユニット３２を鍵３６で施錠した状態では、図６に示すように、ロック体３４の係合爪４９が係合溝３５と係合して、カバー筒８が閉じ姿勢から開放姿勢に移動操作されるのを阻止する。また、錠ユニット３２を鍵３６で解錠した状態では、図７に示すように、ロック体３４の係合爪４９が係合溝３５から分離するので、カバー筒８は主ケース７に対して上方移動可能な状態となる。この状態でカバー筒８を開放操作することにより、印字ユニット２がばね２５で日付変更位置へ押上げ操作されて、印字ベルト２４の下部が日付窓２８および出退口１２から上方へ抜出るので、印字ベルト２４を回転操作することができる。なお、上記の閉じ位置（開放規制位置）におけるカバー筒８の下端は、主ケース７の下部に設けたフランジ壁で受止められている。
【００４１】
高さ調整構造は、調整リング（調整体）５４と、調整リング５４の調整動作を印字ユニット２のフレーム２０に伝える中継体５５とで構成する。調整リング５４はロック体３４より上方に配置されており、中継体５５はロック体３４と印字ユニット２のフレーム２０との間に配置してある。図５において調整リング５４は、円形リング状のプラスチック成形品からなり、その周面の全体に滑止めリブ５６の一群が形成してある。調整リング５４の内面上部には、第１ナット４４を受入れる凹部５７が形成され、さらに、凹部５７より下側のリング内面に雌ねじ５８が形成してある。調整リング５４を回転操作するために、締結ボス１６の周壁の左右に一対の操作窓５９が開口してある。操作窓５９から露出する滑止めリブ５６を指先で摘んで調整リング５４を回転操作することにより、印字ユニット２の高さ調整を容易に行なうことができる。
【００４２】
調整リング５４は、雌ねじ５８を錠ケース３７の雄ねじ４１にねじ込むことにより、錠ケース３７の軸部４０で上下に調整移動可能に支持してある（図８参照）。このように、錠ケース３７の軸部４０に設けた雄ねじ４１を利用して、調整リング５４を軸部４０で上下に調整移動可能に支持すると、調整リング５４のねじ込み相手を別途設ける必要がないので、高さ調整構造が複雑化するのを防止できる。また、軸部４０に形成される雄ねじ４１は細目ねじで形成してあるので、調整リング５４を回転操作して印字ユニット２を移動させるときの、１回転あたりの上下調整量を小さくできる。さらに、金属加工されて精密に形成された雄ねじ４１に調整リング５４をねじ込むので、軸部４０にねじ込んだ調整リング５４が上下にがたつくのを防止でき、全体として、印字ユニット２の印面高さの調整を精密に行なうことができる。加えて、錠ユニット３２と調整リング５４を同心状に配置するので、これら両者３２・５４が占めるスペースの無駄を省いた状態で、カバー筒８の内面上部に錠構造と高さ調整構造とを集約配置することができる。
【００４３】
図５において中継枠５５は、四角形状に形成される中央の接合座６１と、接合座６１の前後に張り出される三日月状の受動座６２と、受動座６２の上面に突設される前後一対の受動片６３とを一体に備えたプラスチック成形品からなる。接合座６１の下面の四隅には、印字ユニット２のフレーム２０の上壁２０ａに係合する接合脚６４が下向きに突設してある。また、前側の受動部６２の前部下面と、後側の受動部６２の後部下面には、それぞれ規制脚６５が下向きに突設してある。受動片６３は断面半円状に形成してある。
【００４４】
中継枠５５は、その接合脚６４が上壁２０ａの下面側に係合されて、接合座６１が印字ユニット２のフレーム２０の上壁２０ａに予め連結固定してある。また、錠ユニット３２、ロック体３４、および調整リング５４はカバー筒８に予め組付けられており、カバー筒８を主ケース７に組む前に錠ユニット３２を鍵３６で解錠しておく。中継枠５５が組付けられた印字ユニット２をばね２５とともに主ケース７の内部に組付けたのち、カバー筒８を主ケース７に組付けて、受動片６３が逃げ溝５０に係合する状態で、中継枠５５の規制脚６５を調整窓９に係合させる。この組付け状態においては、受動片６３が逃げ溝５０を介して本体部４８の上方へ突出して、調整リング５４の下面に接当する（図８参照）。ロック体３４は、中継枠５５に対して逃げ溝５０の範囲内で相対回転でき、したがって、ロック体３４が鍵３６で回転操作されるとき、回転変位しない受動片６３と、回転する本体部４８とが動作干渉するのを回避できる。
【００４５】
上記のように、カバー筒８の内面の上部に錠構造と高さ調整構造とを集約配置すると、締結ボス１６の上面に錠ユニット３２の上端面および鍵穴４２が露出する。また、締結ボス１６の周面２個所において、調整リング５４の滑止めリブ５６と操作窓５９が露出して、日付印の外観の印象が損なわれてしまう。こうした、外観上の不具合を解消し、さらに鍵穴４２に異物が入込むのを防ぐために上キャップ１７を設け、同キャップ１７を締結ボス１６に着脱自在に装着している。上キャップ１７の装着状態を維持するために、締結ボス１６の周壁の下部と、上キャップ１７の内面の下部とに、互いに係合するリブが設けてある。
【００４６】
図１２ないし図１５に差換印７０の詳細を示す。差換印７０は、捺印者の氏名や社員番号などを印字する氏名印字体７１と、氏名印字体７１を差換窓２９に装着するためのホルダー７２と、氏名印字体７１とホルダー７２との間に設けられる高さ調整機構などで構成する。図１２において氏名印字体７１は、プラスチック製の印字台７３と、印字台７３の下面に接着固定されるゴム印字体７４とからなる。印字台７３の上面にはねじボス７５が形成してあり、左右側面には回止めを兼ねる位置決めリブ７６が形成してある。
【００４７】
ホルダー７２は横長四角形状の受壁７８と、受壁７８の左右両側の前後に下向きに設けた４個の係合脚７９とを一体に備えた門形のプラスチック成形品からなり、受壁７８の中央にビス挿通穴８０が上下貫通状に形成してある。ビス挿通穴８０の左右両側には、高さ調整機構を構成する断面が三角形状の基準リブ８１が設けてあり、受壁７８の前縁の左右にはストッパー８２が突設してある。
【００４８】
高さ調整機構は、先の基準リブ８１と、基準リブ８１で支持される調整筒８５と、ホルダー７２と印字台７３との間に配置される圧縮コイル形のばね８６と、調整筒８５の筒壁の下端に形成される一群の調整溝８７とで構成する。調整筒８５の周面には、先のストッパー８２で受止められる規制片８８が張出し形成してある。各調整溝８７は、図１５の展開図に示すように、調整筒８５の筒壁の下端を逆Ｖ字状に切欠いて、各溝８７が周方向へ連続して溝列を構成するように形成してある。調整溝８７は、調整筒８５の筒壁の対向位置に６対ずつ１２個が形成してあり、隣接する各調整溝８７の上下高さ位置が０．２ｍｍずつ異なっている。
【００４９】
調整筒８５に挿通した状態の締結ビス８９を受壁７８のビス挿通穴８０に挿通し、さらに、そのねじ軸を印字台７３のねじボス７５にねじ込むことにより、氏名印字体７１とホルダー７２とが一体化される。この組付け状態においては、図１４に示すように締結ビス８９の操作頭部の下面が調整筒８５の上端壁で支持され、対を為す調整溝８７が一対の基準リブ８１で受止められている。また、氏名印字体７１はばね８６で下向きに移動付勢されて、調整筒８５と締結ビス８９を介してホルダー７２で吊下げ支持された状態になっている。
【００５０】
差換窓２９の左右には、位置決めリブ７６を受入れる位置決め溝９０が形成してあり、さらに、係合脚７９を係合するための４個の係合穴９１が差換窓２９に隣接して形成してある。差換印７０は、固定印字体３を主ケース７から取外した状態で、固定印字体３の上面側から差換窓２９に着脱して交換する。詳しくは、固定印字体３を主ケース７から取外したのち、差換窓２９に装着してある差換印７０の係合脚７９を、左右中央へ接近する向きに弾性変形させて係合穴９１との係合状態を解除し、差換印７０を差換窓２９から取り外す。次に新規な差換印７０の氏名印字体７１を、位置決めリブ７６と位置決め溝９０が係合する状態で差換窓２９に嵌込み、さらに、係合脚７９を係合穴９１に差込んで、その係合爪を係合穴９１の下面側の段部に係合させる。
【００５１】
交換された新規な差換印７０の高さ調整を行なう場合は、まず、固定印字体３およびゴム印字体７４の印字面にインクを付着させた状態で紙面に捺印して、氏名印字体７１の捺印状態を確認する。殆どの場合、固定印字体３のゴム印字体２７と氏名印字体７１のゴム印字体７４とは、両者の生産時期が異なっているので、氏名印字体７１の捺印状態は、印字された文字がかすれるか、にじんでいることが多い。いずれにせよ、捺印を試行することで氏名印字体７１を固定印字体３の印字面に対して、かすれを修正する向きに調整するか、にじみを修正する向きに調整するかを決定することができる。
【００５２】
次に、調整筒８５を左右いずれかへ回転して、基準リブ８１で支持される調整溝８７を変更することにより、氏名印字体７１の印字面の高さを調整する。例えば、かすれを修正する場合には、図１３において調整筒８５を時計回転方向へ回転操作して、溝深さが大きな調整溝８７を基準リブ８１で支持することにより、氏名印字体７１の印字面を下げる。つまり、固定印字体３の印字面を基準とする場合に、氏名印字体７１の印字面を固定印字体３の印字面から突出する側へ移動させる。また、にじみを修正する場合には、調整筒８５を反時計回転方向へ回転操作して、溝深さが小さな調整溝８７を基準リブ８１で支持することにより、氏名印字体７１の印字面を上げる。つまり、固定印字体３の印字面を基準とする場合に、氏名印字体７１の印字面を固定印字体３の印字面から退入する側へ移動させる。
【００５３】
この実施例では、調整溝８７が６対ずつ１２個設けてあるので調整量の合計は１．２ｍｍとなり、その範囲内で氏名印字体７１の高さを調整できる。再度、捺印を試行して調整結果を確認し、氏名印字体７１で印字された文字等の状態が好みの状態になるまで調整を行なう。高さ調整を行なうとき、溝列の始終端に位置する調整溝８７が基準リブ８１で支持された状態、つまり調整筒８５が調整限界位置にあるとき、調整限界を越えて調整筒８５が回転操作されるのを防ぐために、規制片８８をストッパー８２で受止めている。
【００５４】
なお、調整溝８７の溝深さが大きくなると、調整筒８５がばね８６の付勢力に対向して基準リブ８１を乗越えるときの上方移動量が増加し、その分だけ操作抵抗が増えて回転操作しにくくなる。こうした場合には、差換印７０の締結ビス８９を緩めてばね８６の付勢力を低下させた状態で調整筒８５を回転操作すると、容易に調整筒８５を回転操作できる。調整筒８５を回転操作したのちには、再び締結ビス８９をねじ込んで、氏名印字体７１を締結ビス８９に固定する。
【００５５】
日付印は、管理責任者が鍵３６を所定の場所に保管して、日付印の使用状況を管理する。始業時には、上キャップ１７を取り外したのち、鍵３６を鍵穴４２に差込んで錠ユニット３２を解錠し、カバー筒８を開放姿勢にして調整ダイヤル２２を調整窓９に臨ませる。この状態で日数字を印字する印字ベルト２４に対応する調整ダイヤル２２を送り操作して、使用する日付に適合した字母ブロックを選定する。日付の調整が終了したら、カバー筒８を閉じ姿勢にした状態で錠ユニット３２を施錠して、カバー筒８の開放移動を阻止し、上キャップ１７を締結ボス１６に装着した状態で捺印担当者に日付印を渡す。一連の日付変更作業は管理責任者が行なってもよく、管理責任者が立会う状況下で捺印担当者が行なってもよい。
【００５６】
以上のように構成した日付印によれば、錠ユニット３２を正規の鍵３６で解錠しない限り、カバー筒８を開放操作できないので、印字ベルト式の日付印であるにもかかわらず、管理責任者ではない使用者が日付印の日付を変更するのを確実に防止できる。また、印字ベルト２４を送り操作するだけで日付の変更を行なえるので、従来の差換印に比べて、日付の変更をより少ない手間で簡便に行なえる。さらに、管理責任者は鍵３６のみを管理すればよいので、差換えコマを管理する必要があった差換印に比べて、管理の手間を大幅に省くことができる。印字要素を紛失したり、破損するおそれもない。カバー筒８が閉じ姿勢になっている状態では、印面ホルダー２６の取付爪３０の外面がカバー筒８で覆われている。そのため、取付爪３０を係合解除操作して固定印字体３を主ケース７から取外すことはできない。従って、固定印字体３を主ケース７から取外した状態で、印字ベルト２４を直接回動操作して日付が不正に変更されるのを防止できる。因みに、取付爪３０を係合解除操作して固定印字体３を主ケース７から取外すことが可能であると、日付窓２８より開口面積の大きな出退口１２が露出するため、印字ベルト２４を直接回動操作して日付を変えることが可能となる。
【００５７】
上記構成の日付印の捺印頻度が高い場合には、日付印を図１６に示すスタンドに収容して使用することができる。スタンドは、日付印を出入れするための収容筒９４を備えている上側のスタンド本体９５と、スタンド本体９５を支持する下側のスタンド台９６と、収容筒９４の真下に位置する状態でスタンド台９６に設けられるマットホルダー９７などで構成する。マットホルダー９７は皿状に形成してあって、その内部にインク吸蔵マット９８が収容される。不使用状態の日付印は、収容筒９４の内部に収容されて全体が起立姿勢に保持されており、さらに、固定印字体３および差換印７０の印字面がインク吸蔵マット９８の上面に接触している。従って、日付印を収容筒９４から取出すだけで連続して捺印でき、こうした使用形態では印面キャップ４を省略することができる。
【００５８】
上記の実施例以外に、上キャップ１７は、締結ボス１６に着脱する必要はなく、係合構造を設けたカバー筒８に対して着脱することができる。調整リング５４は、雄ねじ４１を利用して軸部４０で調整移動可能に支持することが好ましいが、必要があれば、締結ボス１６の内面にねじ込んで、締結ボス１６で調整移動可能に支持することができる。調整体５４はリング状に形成する必要はなく、板状や筒状などに構成することができる。錠ユニット３２は、締結ボス１６が省略されたカバー筒８の上端壁に直接組付けることができる。規制脚６５は、中継枠５５と一体に形成する必要はなく、要は印字ユニット２のフレーム２０に固定してあればよい。
【００５９】
係合爪４９および係合溝３５は、カバー筒８を安定した状態で閉じ姿勢に固定保持できる点で、複数個設けることが好ましいが、少なくとも１個設けてあれば足りる。また、係合体３５は、溝構造である必要はなく、係合爪４９の上面を受止めるリブや突起、あるいは段部などで形成することができる。上記の実施例では、差換印用の高さ調整構造を、基準リブ８１と調整溝８７を調整要素にして、段階的に調整できるようにしたが、その必要はなく、ナットとボルトを調整要素にして、無段階に調整できるようにすることができる。
【符号の説明】
【００６０】
１  本体ケース
２  印字ユニット
７  主ケース
８  カバー筒
３２  錠ユニット
３３  操作軸
３４  ロック体
３５  係合体（係合溝）
３６  鍵
３７  錠ケース
４０  軸部
４１  雄ねじ
５４  調整体（調整リング）
５８  雌ねじ
５９  操作窓
【図１】
2014100900.tif 000003
【図２】
2014100900.tif 000004
【図３】
2014100900.tif 000005
【図４】
2014100900.tif 000006
【図５】
2014100900.tif 000007
【図６】
2014100900.tif 000008
【図７】
2014100900.tif 000009
【図８】
2014100900.tif 000010
【図９】
2014100900.tif 000011
【図１０】
2014100900.tif 000012
【図１１】
2014100900.tif 000013
【図１２】
2014100900.tif 000014
【図１３】
2014100900.tif 000015
【図１４】
2014100900.tif 000016
【図１５】
2014100900.tif 000017
【図１６】
2014100900.tif 000018